(57)【要約】　　　（修正有）【課題】弾性研磨ディスクを一枚一枚使い切ることができ、弾性研磨ディスクの無駄をなくることができ、また、用途等に応じて弾性研磨ディスクの枚数を自由に設定することができる積層型回転研磨具及びその使用方法を提供する。【解決手段】本発明の積層型回転研磨具Ａは、複数枚の弾性研磨ディスク１を積層して構成された積層型回転研磨具Ａにおいて、前記弾性研磨ディスク１は、樹脂が含浸された繊維クロス製基材の表面に前記樹脂によって砥粒を付着して形成され、各弾性研磨ディスクを互いに接着することなく積層したことを特徴とするものである。【選択図】　　図３
2004050355.tif 000002
【特許請求の範囲】
【請求項１】
複数枚の弾性研磨ディスクを積層して構成された積層型回転研磨具において、
前記弾性研磨ディスクは、樹脂が含浸された繊維クロス製基材の表面に前記樹脂によって砥粒を付着して形成され、各弾性研磨ディスクを互いに接着することなく積層したことを特徴とする積層型回転研磨具。
【請求項２】
樹脂が含浸された繊維クロス製基材の表面に砥粒を付着して形成された弾性研磨ディスクを、複数枚互いに接着することなく積層して成る積層型回転研磨具を用い、
該積層型回転研磨具をグラインダーの回転軸に着脱自在に取り付け、前記積層型回転研磨具の下側に位置する前記弾性研磨ディスクが摩耗したときには、該弾性研磨ディスクを取り除くと共に、前記積層型回転研磨具の上側に新たな弾性研磨ディスクを積層して補充することを特徴とする積層型回転研磨具の使用方法。
【発明の詳細な説明】
【０００１】
【発明の属する技術分野】
本発明は、グラインダーの回転軸に着脱自在に取り付けられる積層型回転研磨具及びその使用方法に関する。
【０００２】
【従来の技術】
積層型回転研磨具は、複数枚の弾性研磨ディスクを重ね合わせた状態でグラインダーの回転軸に取り付けられ、研磨作業時には、下側の弾性研磨ディスクが磨耗すれば、未磨耗の弾性研磨ディスクが表れて常に良好な研磨面で被研磨部材（以下、ワーク材という）と接することができるようになっている。
【０００３】
しかしながら、従来の積層型回転研磨具は、弾性研磨ディスク同士が接着剤によって接着されていたので、下側の弾性研磨ディスクが摩耗すると、積層型回転研磨具全体を新たなものに取り替えなければならなかった。したがって、積層型回転研磨具の上側に位置する未使用の弾性研磨ディスクも廃棄され、産業廃棄物が増加する原因となっていた。
【０００４】
【発明が解決しようとする課題】
本発明は、弾性研磨ディスクを一枚一枚使い切ることができ、弾性研磨ディスクの無駄をなくすことができ、また、用途等に応じて弾性研磨ディスクの枚数を自由に設定することができる積層型回転研磨具及びその使用方法を提供する。
【０００５】
【課題を解決するための手段】
本発明の積層型回転研磨具は、複数枚の弾性研磨ディスクを積層して構成された積層型回転研磨具において、前記弾性研磨ディスクは、樹脂が含浸された繊維クロス製基材の表面に前記樹脂によって砥粒を付着して形成され、各弾性研磨ディスクを互いに接着することなく積層したことを特徴とする。
【０００６】
また、本発明の積層型回転研磨具の使用方法は、樹脂が含浸された繊維クロス製基材の表面に砥粒を付着して形成された弾性研磨ディスクを、複数枚互いに接着することなく積層して成る積層型回転研磨具を用い、該積層型回転研磨具をグラインダーの回転軸に着脱自在に取り付け、前記積層型回転研磨具の下側に位置する前記弾性研磨ディスクが摩耗したときには、該弾性研磨ディスクを取り除くと共に、前記積層型回転研磨具の上側に新たな弾性研磨ディスクを積層して補充することを特徴とする。
【０００７】
【発明の実施の形態】
以下、本発明の実施の形態について図面を参照して説明する。
【０００８】
図３に示すように、積層型回転研磨具Ａは複数枚の弾性研磨ディスク１を積層して構成されており、各弾性研磨ディスク１は薄肉で、しなやかで折れ難く腰があるものである。
【０００９】
弾性研磨ディスク１は、図１に示すように、無機繊維クロス製の一枚の円形状の基材２の表面に樹脂層３を形成し、該樹脂層３に図外の砥粒を付着して構成されている。弾性研磨ディスク１の製造は、無機繊維クロスに樹脂を含浸して乾燥させた後、該無機繊維クロスから円形状の基材２を切り出し、該基材２の表面に樹脂を塗布して樹脂層３を形成し、該樹脂層３に砥粒を付着することにより行われる。また、弾性研磨ディスク１の中央部には取付孔４が設けられ、弾性研磨ディスク１の中央部は下面側が凹むように曲成されて凹み部５が形成されている。
【００１０】
なお、弾性研磨ディスク１の製法は特に限定はされず、例えば、中央孔を有する円形状の基材２を無機繊維クロスから切り出し、基材２に砥粒を含む樹脂を含浸させ、中央部分が上方に突出するように成形して得ることができる。また、無機繊維クロスとしては、摩耗し易いガラス繊維クロス、炭素繊維クロス等が用いられる。
【００１１】
無機繊維クロスの織り方としては、平織、綾織、朱子等があるが特に限定されるものではない。また、含浸樹脂は、エポキシ樹脂、フェノール樹脂、不飽和ポリエステル樹脂等の熱硬化性樹脂であり、含浸樹脂の粘度は基材４の網目開口部を塞ぐことがない大きさに設定されている。
【００１２】
図２及び図３に示すように、積層型回転研磨具ＡをグラインダーＢの回転軸Ｂ１に取り付けて使用する場合には、複数枚の弾性研磨ディスク１を重ね合わせ、かつ上下の弾性研磨ディスク１同士を接着剤等で接着することなく互いに独立した状態で弾性研磨ディスク１の取付孔４に回転軸Ｂ１を挿通する。そして、グラインダーＢの下フランジＢ２のねじ孔Ｂ３を回転軸Ｂ１のねじ部Ｂ４に螺合し、回転軸Ｂ１に固定された上フランジＢ５と下フランジＢ２とで積層型回転研磨具Ａを挟持する。なお、下フランジＢ２は最下段の弾性研磨ディスク１の凹み部５に収納され、最上段の弾性研磨ディスク１の上面側には補強パッドＣが配設される。
【００１３】
このように弾性研磨ディスク１を積層して構成される積層型回転研磨具Ａは、弾性研磨ディスク１同士は接着されておらずそれぞれが独立しているので、弾性研磨ディスク１が互いに拘束されて弾性研磨ディスク１の前記特性が損なわれるということがなくなる。したがって、図４に示すようにワーク材Ｄの被研削面に馴染むことができ、良好な研磨性能を発揮することができる。また、ワークＤに当たったときの衝撃力の緩和性能も向上する。
【００１４】
積層型回転研磨具Ａの弾性研磨ディスク１のうち最下段に位置する弾性研磨ディスク１（１Ａ）が摩耗して交換が必要になったときには、下フランジＢ２を外してグラインダーＢの回転軸Ｂ１から積層型回転研磨具を抜いたのち、図３に示すように、弾性研磨ディスク１（１Ａ）を取り除くと共に、積層型回転研磨具の最上段に新たな弾性研磨ディスク１（１Ｂ）を積層して補充する。また、最下段の弾性研磨ディスク１（１Ａ）を含む摩耗した下側の複数枚の弾性研磨ディスク１を取り替える場合には、同じ枚数の弾性研磨ディスク１を補充する。
【００１５】
また、積層型回転研磨具Ａの弾性研磨ディスク１の枚数を自由に設定することができるので、用途等に応じて使い分けができる。すなわち、ワーク材Ｄの凹凸表面への追従性（柔軟性）、弾力性、研削力を基準に研磨性能を判断した場合には、積層枚数が少ないほど柔軟性は良くなるが、弾力性及び研削力は低下する。逆に、積層枚数が多くなるほど柔軟性は悪くなるが、弾力性及び研削力は向上する。また、ワーク材Ｄの被研削面が平面であっても削り込みを嫌う場合には、枚数を少なくする必要がある。更に、ワーク材Ｄの材質（鋼、アルミニウム、ステンレス、ＦＲＰ等）に応じて弾性研磨ディスク１の枚数を調整する必要があるが、これらにも迅速に対応することができ、ぼかし研削、ビード研削、表面研磨などに応じた使い方が可能になる。
【００１６】
なお、例えば、アルミニウム製のワーク材Ｄを表面研磨する場合には、厚さが１ｍｍで外径が１００ｍｍの弾性研磨ディスク１を２枚積層した積層型回転研磨具Ａを用いれば、高い研磨性能が得られる。
【００１７】
【発明の効果】
本発明の積層型回転研磨具によれば、樹脂が含浸された繊維クロス製基材の表面に前記樹脂によって砥粒を付着して形成された弾性研磨ディスクを、互いに接着することなく積層したので、弾性研磨ディスクが互いに拘束されて弾性研磨ディスクの特性が損なわれるのを防止して高い研磨性能を得ることができ、また、積層型回転研磨具の弾性研磨ディスクの枚数を自由に設定することができるので、用途等に応じて使い分けができ、作業性が向上し、更に、衝撃力の緩和性能も高くなり、作業者に伝わる振動を減少させることができる。
【００１８】
本発明の積層型回転研磨具の使用方法によれば、積層型回転研磨具をグラインダーの回転軸に着脱自在に取り付け、前記積層型回転研磨具の下側に位置する前記弾性研磨ディスクが摩耗したときには、該弾性研磨ディスクを取り除くと共に、前記積層型回転研磨具の上側に新たな弾性研磨ディスクを積層して補充するので、補充作業によって上側に位置する弾性研磨ディスクは下側に移動してワークを研磨することになり、積層型回転研磨具を構成するすべての弾性研磨ディスクを使い切ることができ、未使用の弾性研磨ディスクが廃棄されることがなくなる。
【図面の簡単な説明】
【図１】（ａ）は本発明の実施形態の積層型回転研磨具を構成する弾性研磨ディスクの平面図、（ｂ）は弾性研磨ディスクの側面図、（ｃ）は弾性研磨ディスクの一部の側断面図である。
【図２】本発明の実施形態の積層型回転研磨具のグラインダーへの取り付け動作を示す側断面図である。
【図３】本発明の実施形態の積層型回転研磨具の使用方法を示す側断面図である。
【図４】本発明の実施形態の積層型回転研磨具による研磨作業を示す側面図である。
【符号の説明】
Ａ　　積層型回転研磨具
１　　弾性研磨ディスク
【図１】
2004050355.tif 000003
【図２】
2004050355.tif 000004
【図３】
2004050355.tif 000005
【図４】
2004050355.tif 000006